(57)【要約】【課題】柱主筋の定着性能を向上させることができ、かつ梁上端筋の鉛直部の定着長さを短くすることができる鉄筋コンクリート構造物の最上階における柱梁接合部構造を提供することである。【解決手段】鉄筋コンクリート構造物の最上階における柱梁接合部構造１は、鉄筋コンクリート構造物の最上階の柱梁接合部４における柱主筋２、３の上端部に、該柱主筋２、３を複数本にわたって連結する定着プレート５を設置し、該定着プレート５を梁の上端筋７の上側に設置し、梁の上端筋の鉛直定着部８が柱梁接合部４内に配筋されたことである。【選択図】  図１
2008297750.tif 000002
【特許請求の範囲】
【請求項１】
鉄筋コンクリート構造物の最上階の柱梁接合部における柱主筋の上端部に、該柱主筋を複数本にわたって連結する定着プレートを設置し、該定着プレートを梁の上端筋の上側に設置したことを特徴とする鉄筋コンクリート構造物の最上階における柱梁接合部構造。
【請求項２】
梁の上端筋の鉛直定着部は柱梁接合部内に配筋されたことを特徴とする請求項１に記載の鉄筋コンクリート構造物の最上階における柱梁接合部構造。
【請求項３】
定着プレートはリング状であることを特徴とする請求項１または２に記載の鉄筋コンクリート構造物の最上階における柱梁接合部構造。
【請求項４】
定着プレートはＬ形で柱の四隅に設置されたことを特徴とする請求項１または２に記載の鉄筋コンクリート構造物の最上階における柱梁接合部構造。
【請求項５】
Ｌ形の定着プレートの間には直線プレートが設置されたことを特徴とする請求項４に記載の鉄筋コンクリート構造物の最上階における柱梁接合部構造。
【請求項６】
定着プレートには下側に伸びるアンカー筋が設置されたことを特徴とする請求項１〜５のいずれかに記載の鉄筋コンクリート構造物の最上階における柱梁接合部構造。
【発明の詳細な説明】
【技術分野】
【０００１】
本願発明は鉄筋コンクリート構造物の最上階における柱梁接合部構造に関するものである。
【背景技術】
【０００２】
従来、鉄筋コンクリート構造物の最上階の柱梁接合部における柱主筋を機械式で定着する場合、図６の（１）に示すように、柱主筋２１ごとに定着板２２が設置され、この定着板２２が梁主筋２３の下側に配置されていた。この場合、二方向に被り厚の少ない柱の四隅におけるコーナー主筋２４の周囲にはひび割れが生じたり、柱主筋２１が上側に押し抜かれて定着力が失われるということがあった。そのため最上階の柱２５において柱主筋２１、２４を機械式で定着する場合には、図６の（２）に示すように、柱型２６を上側に延長するなどしていた。またその他の鉄筋コンクリート構造物の最上階における柱梁接合部構造としては、例えば特開２００６−１０４８５４号の発明が知られている。
【特許文献１】特開２００６−１０４８５４号公報
【発明の開示】
【発明が解決しようとする課題】
【０００３】
しかし、最上階の外端部における梁の上端筋の定着においては、一般階のように上部に柱がないため、図７に示すように、柱梁接合部２７にせん断ひび割れが生じた場合に梁主筋２３の抑え効果がなく、水平部の定着力が無効になることが多かった。このため最上階の外端部における梁主筋２３の定着においては鉛直定着部２８の定着長さが長くなって、柱梁接合部２７を超えて下階の柱２９内まで伸ばして定着する必要があった。また柱にプレキャスト部材を使用する場合にはプレキャスト柱の天端を下げておかなければならず、施工性が悪いという問題もあった。
【０００４】
本願発明はこれらの問題に鑑みてなされたものであり、その目的は、柱主筋の定着性能を向上させることができ、かつ梁の上端筋の鉛直定着部の定着長さを短くすることができる鉄筋コンクリート構造物の最上階における柱梁接合部構造を提供することである。
【課題を解決するための手段】
【０００５】
以上の課題を解決するための鉄筋コンクリート構造物の最上階における柱梁接合部構造は、鉄筋コンクリート構造物の最上階の柱梁接合部における柱主筋の上端部に、該柱主筋を複数本にわたって連結する定着プレートを設置し、該定着プレートを梁の上端筋の上側に設置したことを特徴とする。また梁の上端筋の鉛直定着部は柱梁接合部内に配筋されたことを含む。また定着プレートはリング状であることを含む。また定着プレートはＬ形で四隅に設置されたことを含む。またＬ形の定着プレートの間には直線プレートが設置されたことを含む。また定着プレートには下側に伸びるアンカー筋が設置されたことを含むものである。
【発明の効果】
【０００６】
柱主筋周囲のひび割れの発生や押し抜きによる定着力の喪失を抑制して、柱主筋の定着性能を向上させることができる。これにより上階への柱型の増設など、最上階の柱主筋に機械式の定着を使用する場合の制約がなくなり、従来の躯体形状で柱主筋を定着することができる。また連続した柱主筋の定着プレートを梁の上端筋の上部に配置することにより、接合部のひび割れの開きを抑制し、最上階の梁の上端筋の鉛直定着部の定着長さを短くすることができる。また先端に定着板を設置し、鉛直定着部の定着力をさらに向上させることもできる。これにより柱にプレキャスト部材を使用した場合にも柱天端を下げる必要がなく、一般階と同じ柱梁接合部の配筋が可能となって施工性が向上する。またアンカー筋を設けたことにより、柱主筋の押し抜き抵抗が向上する。
【発明を実施するための最良の形態】
【０００７】
以下、本願発明の鉄筋コンクリート構造物の最上階における柱梁接合部構造（以下、柱梁接合部構造という）について説明する。また各実施の形態において同じ構成は同じ符号を付して説明し、異なった構成にのみ異なった符号を付して説明する。
【０００８】
図１は第１の実施の形態の柱梁接合部構造１を示したものである。この柱梁接合部構造１は鉄筋コンクリート構造物の外周部におけるＬ形のものである。
【０００９】
この柱梁接合部構造１はネジ節鉄筋などの柱主筋２、３が柱梁接合部４に配筋され、その上端部がリング状の定着プレート５にナット６で定着されている。この定着プレート５には全ての柱主筋２、３の上端部が定着されている。すなわちコーナー主筋２は定着プレート５の四隅に定着され、この四隅の間にその他の柱主筋３が定着されて、全ての柱主筋２、３が定着プレート５で繋がれた状態になっている。このため二方向にかぶり厚の小さい四隅のコーナー主筋２の周囲にひび割れが発生しても、このひび割れの開きを抑えて定着力の喪失を抑制することができる。
【００１０】
また定着プレート５が梁の上端筋７の上側に設置されたため、該梁の上端筋７が外側の柱主筋３の手前で鉛直に折り曲げられて鉛直定着部８となり、この鉛直定着部８が柱梁接合部４内に収まって配筋されている。このように定着プレート５を梁の上端筋７の上側に設置したことによって、接合部のひび割れの開きを制限することができるので、鉛直定着部８を短くすることができる。また、この鉛直定着部８の先端に定着板（図示せず）を設けることにより、定着耐力をさらに向上させることができる。一方、梁の下端筋１０は上端筋の鉛直定着部８の手前で上側に折り曲げられて鉛直定着部８となり、この鉛直定着部８が柱梁接合部４内に配筋されている。
【００１１】
また図２は第２の実施の形態の柱梁接合部構造１１を示したものである。この柱梁接合部構造１１は鉄筋コンクリート構造物の内側におけるＴ形のものであり、梁の上端筋７と下端筋１０とが柱梁接合部４を貫通して配線された以外は、第１の実施の形態の柱梁接合部構造１と同じ構成である。
【００１２】
また図３は第３の実施の形態の柱梁接合部構造１２を示したものである。この柱梁接合部構造１２は定着プレート１３がリング状ではなくＬ形のものであり、これ以外は第１の実施の形態の柱梁接合部構造１と同じ構成である。このＬ形の定着プレート１３は柱９の四隅に配置されて、コーナー主筋２と両隣の柱主筋３とを定着している。
【００１３】
また図４は第４の実施の形態の柱梁接合部構造１４を示したものである。この柱梁接合部構造１４はＬ形の定着プレート１５の間に直線プレート１６を配置したものであり、これ以外は第１の実施の形態の柱梁接合部構造１と同じ構成である。これは柱主筋１７の多い場合に使用され、四隅におけるＬ形の定着プレート１５でコーナー主筋２と両隣の柱主筋３とを定着し、それ以外の柱主筋１７を直線プレート１６で定着している。
【００１４】
また図５は第５の実施の形態の柱梁接合部構造１８であり、（１）はＬ形、（２）はＴ形の柱梁接合部構造１８を示したものである。この柱梁接合部構造１８は定着プレート５にナット６でアンカー筋１９を設けたものであり、これ以外は第１の実施の形態の柱梁接合部構造１と同じ構成である。このアンカー筋１９は定着プレート５から下側に配筋されて柱主筋の押し抜き抵抗を向上させるものである。
【００１５】
なお、このアンカー筋１９は第３および第４の実施の形態の柱梁接合部構造１２、１４の定着プレート１３と直線プレート１６とにも設置することができる。
【図面の簡単な説明】
【００１６】
【図１】第１の実施の形態の柱梁接合部構造であり、（１）は水平方向の断面図、（２）は同縦方向の断面図である。
【図２】第２の実施の形態の柱梁接合部構造であり、（１）は水平方向の断面図、（２）は同縦方向の断面図である。
【図３】第３の実施の形態の柱梁接合部構造の水平方向の断面図である。
【図４】第４の実施の形態の柱梁接合部構造の水平方向の断面図である。
【図５】（１）および（２）は第５の実施の形態の柱梁接合部構造の断面図である。
【図６】従来の柱梁接合部構造であり、（１）は水平方向の断面図、（２）は同縦方向の断面図である。
【図７】従来の柱梁接合部構造の断面図である。
【符号の説明】
【００１７】
１、１１、１２、１４、１８  柱梁接合部構造
２、３、１７、２１、２４  柱主筋
４、２７  柱梁接合部
５、１３、１５、２２  定着プレート
６  ナット
７、１０、２３  梁の上端筋
８、２８  鉛直定着部
９、２５、２９  柱
１６  直線プレート
１９  アンカー筋
２６  柱型
【図１】
2008297750.tif 000003
【図２】
2008297750.tif 000004
【図３】
2008297750.tif 000005
【図４】
2008297750.tif 000006
【図５】
2008297750.tif 000007
【図６】
2008297750.tif 000008
【図７】
2008297750.tif 000009